(57)【特許請求の範囲】
【請求項１】
形状の異なる電子ビーム通過孔を有するインライン型電子銃の、ソードをグリッドアッセンブリに固定するために該カソードの位置決めを行なうカラーブラウン管用電子銃のカソード挿入装置において、位置検出用エアマイクロメータのエアノズルが挿入され、前記電子ビーム通過孔の全てに対して挿抜自在なエアノズルガイド芯棒を備え、センタ電子ビーム通過孔に挿抜自在なセンタガイド芯棒と、一方のサイド電子ビーム通過孔に挿抜自在なサイドガイド第１芯棒と、他方のサイド電子ビーム通過孔に挿抜自在なサイドガイド第２芯棒とを、前記エアノズルガイド芯棒に対してカソードの並設方向に移動自在に設け、前記エアノズルガイド芯棒がセンタ電子ビーム通過孔に挿入された位置と、該エアノズルガイド芯棒がサイド電子ビーム通過孔に挿入された位置とのいずれにおいても、前記グリッドアッセンブリを保持する電極保持手段を備えたことを特徴とするカラーブラウン管用電子銃のカソード挿入装置。
【請求項２】
前記エアノズルガイド芯棒に対してカソードの並設方向に移動自在な電子銃固定台を備え、前記電子銃固定台の適宜位置に、センタ電子ビーム通過孔に挿抜自在なセンタガイド芯棒と、一方のサイド電子ビーム通過孔に挿抜自在なサイドガイド第１芯棒と、他方のサイド電子ビーム通過孔に挿抜自在なサイドガイド第２芯棒とを設けたことを特徴とする請求項１に記載のカラーブラウン管用電子銃のカソード挿入装置。
【発明の詳細な説明】
【０００１】
【発明の属する技術分野】
この発明は、カラーブラウン管用インライン型電子銃であって、該電子銃が複数個の形状が異なる電子ビーム通過孔を備えた構造の場合に、カソードを挿入する際に電子銃の位置決めを行なって所定の位置にカソードを装着することができるようにしたカラーブラウン管用電子銃のカソード挿入装置に関する。
【０００２】
【従来の技術】
テレビ受像機などに用いられるカラーブラウン管用の電子銃には、赤色（Ｒ）、緑色（Ｇ）、青色（Ｂ）に対応した電子ビームを発生させる少なくとも３個のカソードがほぼ一直線上にほぼ等間隔に並んで設けられているものがある。また、電子銃は、このカソードから発生した電子を制御し、集束して電子ビームを形成し、この電子ビームを加速して蛍光体スクリーン上に集束させるグリッドを備えており、該グリッドには、電子ビーム通過孔が形成されている。
【０００３】
図１５及び図１６は従来のこの種のカラーブラウン管用インライン型の電子銃１を示す図で、図１５は断面図、図１６は正面図である。この電子銃１は、後端部には３個のカソード２がカソード支持体３に支持されて配設されており、該カソード２はカソード支持体３が備えたヒータによって加熱されるようにしてある。このカソード３の前方には、第１グリッド電極４と、第２グリッド電極５、第３グリッド電極６、さらに適宜数のグリッド電極が組合わされて第Ｎグリッド電極７までの複数のグリッド電極が配されている。そして、これらカソード支持体３と各グリッド電極４、５、６、７が一対の絶縁支持体８によって固定されて構成されている。
【０００４】
また、この電子銃１は、前記カソード支持体３とそれぞれのグリッド電極４、５、６、７が前記絶縁支持体８によって固定されたグリッドアッセンブリ９の該カソード支持体３に、前記カソード２が挿入され、溶着されて組み立てられる。カソード２をカソード支持体３に挿入する際には、該カソード２と第１グリッド電極４との間隔（ＫＧ１間隔）が所定の大きさとなるように調整されながら行なわれる。このＫＧ１間隔の調整には、セッティングゲージとエアマイクロメータが用いられている。
【０００５】
ＫＧ１間隔の調整を簡便に行なえるようにしたものとして、例えば特公平６−８７４０１号公報に記載された電子銃組立方法などがある。図１７及び図１８は、中央のカソード２と側方のカソード２を溶着する方法を説明する断面図である。
【０００６】
中央のカソード２を溶着する場合には、該中央のカソード２を支持するカソード支持体３から第Ｎグリッド電極７まで貫通したセンタ電子ビーム通過孔９ａに電子銃固定台１１に設けられたセンタガイド芯棒１１ａ  を挿入し、該電子銃固定台１１に設けられたサイドガイド芯棒１１ｂ  を、側方のカソード２を支持するカソード支持体３から第Ｎグリッド電極７まで貫通したサイド電子ビーム通過孔９ｂに挿入する。なお、これらセンタガイド芯棒１１ａ  とサイドガイド芯棒１１ｂ  の間隔は、カソード２の間隔とほぼ等しくしてある。そして、グリッドアッセンブリ９を電極押え１２で挟持して保持させる。前記センタガイド芯棒１１ａ  は筒状としてあり、これに図示しないエアマイクロメータのエアノズル１３を挿通させる。中央のカソード支持体３に図示しないセッティングゲージを挿入し、このエアノズル１３から圧縮空気を該セッティングゲージに吹き付けてその背圧が適宜な調整圧となる位置にエアノズル１３を固定する。そして、セッティングゲージをカソード２に交換し、エアノズル１３の背圧が前記調整圧と等しくなる位置に該カソード２を位置させて、該カソード２をカソード支持体３に溶着する。
【０００７】
側方のカソード２を溶着する場合には、カソード２を固定すべき前記サイド電子ビーム通過孔９ｂにセンタガイド芯棒１１ａ  を挿入し、センタ電子ビーム通過孔９ａにサイドガイド芯棒１１ｂ  を挿入する。そして、センタガイド芯棒１１ａ  にエアノズル１３を挿入して、前述と同様にカソード２の位置決めを行なって溶着する。また、反対側のカソード２を溶着する場合にも、センタ電子ビーム通過孔９ａにサイドガイド芯棒１１ｂ  を、サイド電子ビーム通過孔９ｂにセンタガイド芯棒１１ａ  挿入して行なう。
【０００８】
【発明が解決しようとする課題】
しかしながら、上述した従来の電子銃の組立方法によって組立られる電子銃では、前記電子ビーム通過孔が全てほぼ同一の形状に形成されていた。
【０００９】
ところで、本願出願人は、完成した製品の消費電力を減少させることができるブラウン管を開発し、該ブラウン管に用いられ、電力消費の抑制に寄与する電子銃として前記電子ビーム通過孔の形状が異なるものを開発した。この電子ビーム通過孔の形状が異なる電子銃に対しては、電子銃を組立るための従来のカソード挿入装置を用いることができない。これは、センタガイド芯棒１１ａ  とサイドガイド芯棒１１ｂ  とは、それぞれセンタ電子ビーム通過孔９ａとサイド電子ビーム通過孔９ｂのみにしか挿入することができないからである。
【００１０】
そこで、この発明は、電子ビーム通過孔が異なる形状であっても、簡便な作業でグリッドアッセンブリを保持させ、カソードを所定のＫＧ１間隔となる位置に確実に位置決めして溶着することができるようにしたカラーブラウン管用電子銃のカソード挿入装置を提供することを目的としている。
【００１１】
【課題を解決するための手段】
前記の目的を達成するための技術的手段として、この発明に係るカラーブラウン管用電子銃のカソード挿入装置は、形状の異なる電子ビーム通過孔を有するインライン型電子銃の、カソードをグリッドアッセンブリに固定するために該カソードの位置決めを行なうカラーブラウン管用電子銃のカソード挿入装置において、位置検出用エアマイクロメータのエアノズルが挿入され、前記電子ビーム通過孔の全てに対して挿抜自在なエアノズルガイド芯棒を備え、前記エアノズルガイド芯棒がセンタ電子ビーム通過孔に挿入された状態と、該エアノズルガイド芯棒がサイド電子ビーム通過孔に挿入された状態とのそれぞれの状態における前記グリッドアッセンブリの位置決めを行なう電極位置決め手段を備え、前記エアノズルガイド芯棒がセンタ電子ビーム通過孔に挿入された位置と、該エアノズルガイド芯棒がサイド電子ビーム通過孔に挿入された位置とのいずれにおいても、前記グリッドアッセンブリを保持する電極保持手段を備えたことを特徴としている。
【００１２】
前記エアノズルガイド芯棒がセンタ電子ビーム通過孔に挿入された状態で、前記電極位置決め手段によってグリッドアッセンブリを当該状態に位置決めし、前記電極保持手段によって当該状態における位置でグリッドアッセンブリを保持する。この状態で、エアノズルガイド芯棒にエアノズルを挿入し、セッティングゲージをカソード支持体に設置する。そして、前記エアノズルよって圧縮空気を該セッティングゲージに吹き付けて、その背圧が所定の大きさとなる位置にエアノズルを固定する。次いで、セッティングゲージをカソードに交換し、エアノズルの背圧が所定の大きさとなる位置に該カソードを位置させて、該カソードをカソード支持体に溶着する。
【００１３】
次に、エアノズルガイド芯棒がサイド電子ビーム通過孔に挿入された状態に電極位置決め手段で位置決めし、該グリッドアッセンブリを電極保持手段で保持させる。そして、前述と同様にカソードの位置決めを行なって該カソードをカソード支持体に溶着する。
【００１４】
また、請求項２の発明に係るカラーブラウン管用電子銃のカソード挿入装置は、形状の異なる電子ビーム通過孔を有するインライン型電子銃の、カソードをグリッドアッセンブリに固定するために該カソードの位置決めを行なうカラーブラウン管用電子銃のカソード挿入装置において、位置検出用エアマイクロメータのエアノズルが挿入され、前記電子ビーム通過孔の全てに対して挿抜自在なエアノズルガイド芯棒を備え、センタ電子ビーム通過孔に挿抜自在なセンタガイド芯棒と、一方のサイド電子ビーム通過孔に挿抜自在なサイドガイド第１芯棒と、他方のサイド電子ビーム通過孔に挿抜自在なサイドガイド第２芯棒とを、前記エアノズルガイド芯棒に対してカソードの並設方向に移動自在に設け、前記エアノズルガイド芯棒がセンタ電子ビーム通過孔に挿入された位置と、該エアノズルガイド芯棒がサイド電子ビーム通過孔に挿入された位置とのいずれにおいても、前記グリッドアッセンブリを保持する電極保持手段を備えたことを特徴としている。
【００１５】
前記エアノズルガイド芯棒と一方のサイドガイド芯棒とを適宜位置に位置させた状態で、前記エアノズルガイド芯棒をセンタ電子ビーム通過孔に挿入すると、前記サイドガイド第１芯棒又はサイドガイド第２芯棒のいずれかが、前記サイド電子ビーム通過孔に挿入されて、グリッドアッセンブリが位置決めされる。そして、前記電極保持手段で当該状態における位置でグリッドアッセンブリを保持する。この状態で、エアノズルガイド芯棒にエアノズルを挿入し、セッティングゲージをカソード支持体に設置する。そして、前記エアノズルよって圧縮空気を吹き付けて、前述と同様にして、カソード支持体にカソードを溶着する。
【００１６】
次に、エアノズルガイド芯棒をサイド電子ビーム通過孔に挿入できる位置に、前記センタガイド芯棒をセンタ電子ビーム通過孔に挿入できる位置に位置させてこれら芯棒をそれぞれの電子ビーム通過孔に挿入すると、グリッドアッセンブリが位置決めされる。このグリッドアッセンブリを前記電極保持手段で保持させて、前述と同様にカソードの位置決めを行なって該カソードをカソード支持体に溶着する。
【００１７】
また、請求項３の発明に係るカラーブラウン管用電子銃のカソード挿入装置は、前記エアノズルガイド芯棒に対してカソードの並設方向に移動自在な電子銃固定台を備え、前記電子銃固定台の適宜位置に、センタ電子ビーム通過孔に挿抜自在なセンタガイド芯棒と、一方のサイド電子ビーム通過孔に挿抜自在なサイドガイド第１芯棒と、他方のサイド電子ビーム通過孔に挿抜自在なサイドガイド第２芯棒とを設けたことを特徴としている。
【００１８】
すなわち、前記電子銃固定台を移動させることにより、前記センタガイド芯棒とサイドガイド第１芯棒、サイドガイド第２芯棒の位置を変更することができ、グリッドアッセンブリの挿入すべき電子ビーム通過孔に、簡単な操作で容易に対応させることができる。
【００１９】
【発明の実施の形態】
以下、図示した好ましい実施の形態に基づいて、この発明に係るカラーブラウン管用電子銃のカソード挿入装置を具体的に説明する。図２及び図３は、このカソード挿入装置によって組立られる電子銃２０を示す図で、図２は断面図、図３は正面図である。この電子銃２０は、後端部に３個のカソード２１がカソード支持体２２に溶着されて設けられている。なお、カソード２１のうちの中央のものをセンタカソード２１ａ  、側方のものをサイドカソード２１ｂ  としてある。また、カソード支持体２２にはヒータが備えられており、カソード２１を加熱する。このカソード２１の前方には、順に第１グリッド電極２３、第２グリッド電極２４、第３グリッド電極２５、……第Ｎグリッド電極２６の適宜数のグリッド電極が配されて、これらカソード支持体２２と各グリッド電極２３、２４、２５、２６とが一対の絶縁支持体２７によって固定されている。なお、カソード２１が組込まれる前の、これらカソード支持体２２と各グリッド電極２３、２４、２５、２６、絶縁支持体２７との構造体をグリッドアッセンブリ１５とする。これらグリッド電極２３〜２６には、前記センタカソード２１ａ  が臨んだ部分にセンタ電子ビーム通過孔２８ａ  が、サイドカソード２１ｂ  が臨んだ部分にサイド電子ビーム通過孔２８ｂ  がそれぞれ形成されている。そして、これら電子ビーム通過孔２８ａ  、２８ｂ  は、図３に示すように形状が異なり、サイド電子ビーム通過孔２８ｂ  同士は、センタ電子ビーム通過孔２８ａ  を基準として線対称な形状としてある。
【００２０】
図１はこの発明に係るカラーブラウン管用電子銃のカソード挿入装置３０を示す図である。保持すべき電子銃２０に臨んだ前部に電子銃位置決め手段を構成する電子銃位置決め部４０が配され、その後方に電極保持手段を構成する電極保持部６０が配されている。これら電子銃位置決め部４０と電極保持部６０の中央部をエアノズル８０が進退自在に貫通している。このエアノズル８０は後端部がエアマイクロメータ８１に連繋し、このエアマイクロメータ８１を操作することによって進退するようにしてある。なお、これら電子位置決め部４０と電極保持部６０、エアマイクロメータ８１などはブラケット８２に連繋して設けられている。
【００２１】
図４〜図７は前記電子銃位置決め部４０の構造を説明する図である。電子銃位置決め部４０は、前記ブラケット８２に固定された固定台ホルダ４１に、位置決めすべき電子銃２０のカソード２１の並設方向と平行に摺動自在に電子銃固定台４２が設けられている。なお、前記エアノズル８０は、図４及び図５に示すように、前記電子銃固定台４１のほぼ中央部を貫通させてある。
【００２２】
前記電子銃固定台４２には、図６及び図７に示すように、エアノズル８０を挿通させるために前記固定台ホルダ４１に設けられたエアノズルガイド芯棒８３が貫通すると共に、該電子銃固定台４２の摺動を許容する大きさの長孔４２ａ  が設けられている。この長孔４２ａ  の該電子銃固定台４２の摺動方向の縁部の一方には、電子銃２０の前記サイド電子ビーム通過孔２８ｂ  とほぼ等しい断面形状に形成されて該サイド電子ビーム通過孔２８ｂ  に挿抜自在なサイドガイド第１芯棒４３が設けられ、該縁部の他方には、前記センタ電子ビーム通過孔２８ａ  とほぼ等しい断面形状に形成されて該センタ電子ビーム通過孔２８ａ  と挿抜自在なセンタガイド芯棒４４が設けられている。また、このセンタガイド芯棒４４に隣接した外側には、サイド電子ビーム通過孔２８ｂ  とほぼ等しい断面形状に形成されて該サイド電子ビーム通過孔２８ｂ  に挿抜自在なサイドガイド第２芯棒４５が設けられている。なお、これらセンタガイド芯棒４４とサイドガイド第２芯棒４５とは、同時に電子銃２０のセンタ電子ビーム通過孔２８ａ  とサイド電子ビーム通過孔２８ｂ  に挿通できる位置に配されている。
【００２３】
前記電子銃固定台４２の一部には、図４及び図５に示すように、腕部４２ｂ  を介してピンホルダ部４６が形成されており、このピンホルダ部４６に位置決めピン４７が前記固定台ホルダ４１に係脱するよう摺動自在に支持されている。他方、前記固定台ホルダ４１の一部であって、前記位置決めピン４７を臨む位置には、該位置決めピン４７が係脱する一対の位置決め穴４８ａ  、４８ｂ  が穿設されている。そして、位置決めピン４７には圧縮コイルバネなどからなる付勢バネ４９の復元力が付勢されて、該位置決めピン４７が位置決め穴４８ａ  、４８ｂ  と係合する方向に摺動するようにしてある。前記位置決め穴４８ａ  、４８ｂ  の位置は、後述するように、エアノズル８０が、電子銃２０のセンタ電子ビーム通過孔２８ａ  に挿入された場合に該電子銃２０を位置決めする位置と、サイド電子ビーム通過孔２８ｂ  に挿入された場合に位置決めする位置とに電子銃固定台４２を位置させる位置としてある。なお、エアノズル８０をセンタ電子ビーム通過孔２８ａ  に挿入される場合にはセンタ用位置決め穴４８ａ  に位置決めピン４７が係合し、サイド電子ビーム通過孔２８ｂ  に挿入させる場合にはサイド用位置決め穴４８ｂ  に位置決めピン４７が係合する。また、位置決めピン４７にはノブ４７ａ  が設けられており、このノブ４７ａ  を付勢バネ４９の復元力に抗して引くことにより、該位置決めピン４７を位置決め穴４８ａ  、４８ｂ  から離脱させることができるようにしてある。
【００２４】
図８〜図１１は前記電極保持部６０の構造を説明する図である。電極保持部６０は、図１０及び図１１に示すように、先端部が電子銃２０の第Ｎグリッド電極２６の一部に係合して電子銃２０を保持する一対の保持部材６１を備えている。この保持部材６１はほぼＬ字形に形成されており、該Ｌ字形の一方の腕部が前記電子銃固定台４２よりも電子銃２０側に位置して、その先端部が尖鋭に形成されて保持爪６１ａ  とされ、該保持爪６１ａ  が第Ｎグリッド電極２６と係脱するようにしてある。また、この保持部材６１はＬ字形の他方の腕部が被案内部６１ｂ  とされて案内板６２に連繋され、電子銃２０の電子ビームの方向に移動可能で、該電子ビームの方向と直交する方向に移動可能に設けられている。保持部材６１の被案内部６１ｂ  の先端には被駆動軸６３が後方を指向して突設され、この被駆動軸６３が駆動板６４に形成されたカム孔６５を貫通させてある。
【００２５】
前記駆動板６４は、図９に示すように、円形に形成され、その中心に対して対称な位置に前記カム孔６５が形成されている。このカム孔６５は一端部が内側に他端部が外側になった円弧状に形成されている。また、カム孔６５の一部と重畳した位置には、該カム孔６５の内側端部から外側端部にかけて徐々に電子銃２０側に突出した傾斜面によるカム面６６が形成されている。前記被駆動軸６３の後端部にはフランジ部６３ａ  が形成されると共に、該被駆動軸６３の該フランジ部６３ａ  と駆動板６４との間部分に圧縮コイルバネからなる押圧バネ６３ｂ  が嵌装され、その復元力によって駆動板６４のカム面６６に保持部材６１の被案内部６１ｂ  の後端部が押圧されるようにしてある。
【００２６】
前記駆動板６４は、案内軸６７に回動自在に支持されている。また、前記案内板６２もこの案内軸６７に支持されている。この案内軸６７には、図９に示すように、中心部にほぼ矩形の案内孔６７ａ  が形成されており、この案内孔６７ａ  に前記エアノズル８０と該エアノズル８０を保持している軸ホルダ６８のノズルホルダ部６８ｃ  が遊挿され、該ノズルホルダ部６８ｃ  と直交する方向にノズルホルダ部８６ｃ  に案内されて案内軸６７が適宜な範囲で移動できるようにしてある。
【００２７】
前記案内軸６７には、図８に示すように、前記軸ホルダ６８のノズルホルダ部６８ｃ  が嵌装されている。この軸ホルダ６８の一部には、一対の位置決め穴６８ａ  、６８ｂ  が形成されている。他方、案内軸６７には電極固定台６９が連繋されて設けられており、案内軸６７の移動と共に該電極固定台６９も移動するようにしてある。この電極固定台６９には腕部６９ａ  を介してピンホルダ部７０が形成されており、このピンホルダ部７０に、先端を前記位置決め穴６８ａ  、６８ｂ  に臨ませて該位置決め穴６８ａ  、６９ｂ  に係脱自在な位置決めピン７１が摺動自在に支持されている。この位置決めピン７１には、圧縮コイルバネからなる付勢バネ７２が嵌装されており、その復元力により位置決め穴６８ａ  、６８ｂ  と係合する方向に摺動するようにしてある。前記位置決め穴６８ａ  、６８ｂ  の位置は、後述するように、エアノズル８０が、電子銃２０のセンタ電子ビーム通過孔２８ａ  に挿入された場合の該電子銃２０を前記保持爪６１ａ  で保持できる位置と、サイド電子ビーム通過孔２８ｂ  に挿入された場合に保持爪６１ａ  で保持できる位置とに該保持爪６１ａ  を配することができる位置としてある。なお、エアノズル８０をセンタ電子ビーム通過孔２８ａ  に挿入される場合にはセンタ用位置決め穴６８ａ  に位置決めピン７１が係合し、サイド電子ビーム通過孔２８ｂ  に挿入させる場合にはサイド用位置決め穴６８ｂ  に位置決めピン７１が係合する。また、位置決めピン７１にはノブ７１ａ  が設けられており、このノブ７１ａ  を付勢バネ７２の復元力に抗して引くことにより、該位置決めピン７１を位置決め穴６８ａ  、６８ｂ  から離脱させることができるようにしてある。
【００２８】
図１２〜図１４は、カソード２１をカソード支持体２２に溶着させる手順を説明する図である。カソード支持体２２には、カソード２１と第１グリッド電極２３とのＫＧ１間隔を調整するためのセッティングゲージ９０が遊挿されるようにしてある。このセッティングゲージ９０の先端部にはゲージ溝９０ａ  が形成されており、このゲージ溝９０ａ  の深さがＫＧ１間隔と等しいようにしてある。カソード２１はカソード支持体２２に溶着されるに際してカソード吸着電極９１に吸着されて保持されて、溶着電極９２によって溶着される。
【００２９】
以上により構成されたこの発明の実施形態に係るカラーブラウン管用電子銃のカソード挿入装置について、その作用を以下に説明する。
【００３０】
センタカソード２１ａ  をカソード支持体２２に溶着する場合を説明する。図６に示すように、カソード２２が溶着されておらず、カソード支持体２２と各グリッド電極２３、２４、２５、２６が絶縁支持体２７によって固定されたグリッドアッセンブリ１５の、前記センタビーム通過孔２８ａ  にエアノズルガイド芯棒８３が、前記サイド電子ビーム通過孔２８ｂ  にサイドガイド第１芯棒４３が挿入される。このとき、図９に示すように、前記電子銃固定台４２をエアノズル８０に対して移動させる。すなわち、図４に示すように、前記センタ用位置決め穴４８ａ  に位置決めピン４７が係合した状態とする。また、図８に示すように、センタ用位置決め穴６８ａ  に前記位置決めピン７１が係合する位置に前記電極固定台６９を移動させる。このため、該電極固定台６９に連繋された前記案内軸６７も同方向に移動し、この案内軸６７に支持された前記案内板６２と駆動板６４も同方向に移動して、駆動板６４のカム孔６５を貫通した被駆動軸６３が形成されている保持部材６１がグリッドアッセンブリ１５を保持するのに適宜な位置に位置付くことになる。
【００３１】
上述した状態で、前記駆動板６４を、図９に示す位置から反時計回り方向に案内軸６７を中心として回動させる。この回動によって、被駆動軸６３がカム孔６５に案内されて該駆動板６４の径方向に沿って外方へ移動する。また、保持部材６１は押圧バネ６３ｂ  によってカム面６６に押圧されているから、該保持部材６１はカム面６６に案内されて、グリッドアッセンブリ１５の側に移動し、図１１に示す状態となる。
【００３２】
そして、図６に示すように、センタ電子ビーム通過孔２８ａ  にエアノズルガイド芯棒８３を、サイド電子ビーム通過孔２８ｂ  にサイドガイド第１芯棒４３を挿入させて前記グリッドアッセンブリ１５を位置決めする。
【００３３】
次いで、前述した位置にある前記駆動板６４を図９上時計回り方向に回動させると、カム孔６５に案内されて被駆動軸６３が駆動板６４の径方向の内方へ移動すると共に、カム面６６に案内されて前記保持部材６１が固定台ホルダ４１側に移動する。このため、図９及び図１０に示す状態となって、保持部材６１の保持爪６１ａ  がグリッドアッセンブリ１５の第Ｎグリッド電極２６と係合すると共に、該グリッドアッセンブリ１５が固定台ホルダ４１に押圧されて保持される。
【００３４】
そして、図１３に示すように、前記セッティングゲージ９０をカソード支持体２２に挿入して、その先端を第１グリッド電極２３に押し付ける。この状態で、エアノズル８０の先端を該セッティングゲージ９０の前記ゲージ溝９０ａ  に臨ませて圧縮空気を吹き付ける。前記エアマイクロメータ８１は、この時の背圧からゲージ溝９０ａ  の底面とエアノズル８０の先端までの距離を指示するので、この値が適宜な値となる調整圧を指示する位置にエアノズル８０を位置させる。次いで、セッティングゲージ９０をカソード支持体２２から抜去し、吸着電極９１に吸着させたセンタカソード２１ａ  をカソード支持体２２に挿入する。このとき、エアマイクロメータ８１が前記調整圧を指示する位置となるように、センタカソード２１ａ  を位置させれば、該センタカソード２１ａ  の先端の位置が、前記セッティングゲージ９０のゲージ溝９０ａ  の底面の位置と等しい位置となり、所定のＫＧ１間隔となる位置に位置した状態となる。この状態で、前記溶着電極９２によってセンタカソード２１ａ  をカソード支持体２２に溶着すれば、所望のＫＧ１間隔の位置にセンタカソード２１ａ  が設定される。
【００３５】
次に、サイドカソード２１ｂ  をカソード支持体２２に溶着する場合を説明する。センタカソード２１ａ  の溶着が完了すると、前記駆動板６４を図９に示す位置から反時計回り方向に回動させる。この回動によって、保持部材６１が徐々に該駆動板６４の径方向に外方に移動し、かつ、グリッドアッセンブリ１５の方向へ移動する。このため、図１１に示すように、保持爪６１ａ  が第Ｎグリッド電極２６から離脱して、グリッドアッセンブリ１５の保持状態が解消されるので、グリッドアッセンブリ１５を電子銃固定台４２から外す。次いで、前記位置決めピン４７のノブ４７ａ  を引き出して、該位置決めピン４７とセンタ用位置決め穴４８ａ  との係合を解除し、ピンホルダ部４６を移動させて、図５に示すように、位置決めピン４７をサイド用位置決め穴４８ｂ  に係合させる。この状態で、図７に示すように、前記センタガイド芯棒４４がエアノズルガイド芯棒８３と隣接して位置することになる。そして、グリッドアッセンブリ１５を、その一方のサイド電子ビーム通過孔２８ｂ  にエアノズルガイド芯棒８３を挿入すると、センタ電子ビーム通過孔２８ａ  にセンタガイド芯棒４４が、他方のサイド電子ビーム通過孔２８ｂ  にサイドガイド第２芯棒４５がそれぞれ挿入される。
【００３６】
他方、図８の状態にある前記位置決めピン７１のノブ７１ａ  を引いて、該位置決めピン７１とセンタ用位置決め穴６８ａ  の係合を解除し、ピンホルダ部７０を移動させて、該位置決めピン７１をサイド用位置決め穴６８ａ  と係合させる。これにより、案内軸６７がノズルホルダ部６８ｃ  に案内されて移動し、該案内軸６７と共に、前記案内板６２と駆動板６４、保持部材６１とが同様に移動して、該保持部材６１が図７に示す状態にあるグリッドアッセンブリ１５を保持できる位置となる。そして、駆動板６４を回動させて、保持部材６１を保持位置まで移動させると、保持爪６１ａ  が第Ｎグリッド電極２６と係合すると共に、グリッドアッセンブリ１５が電子銃固定台４２に押圧されて保持される。
【００３７】
そして、前述と同様に、サイドカソード２１ｂ  をカソード支持体２２に溶着する。また、他方のサイドカソード２１ｂ  を溶着するには、図７に示す状態に対して、グリッドアッセンブリ１５を反転させて行なう。
【００３８】
【発明の効果】
以上説明したように、この発明に係るカラーブラウン管用電子銃のカソード挿入装置によれば、異なる形状の電子ビーム通過孔を備えたカラーブラウン管用電子銃であっても、簡単な操作で確実にカソードを設置させることができる。
【００３９】
また、請求項２の発明に係るカラーブラウン管用電子銃のカソード挿入装置によれば、カソードを溶着する際にグリッドアッセンブリを、簡単で確実に位置決めすることができる。
【００４０】
さらに、請求項３の発明に係るカラーブラウン管用電子銃のカソード挿入装置によれば、センタガイド芯棒とサイドガイド第１芯棒、サイドガイド第２芯棒とを同期して移動させることができるので、グリッドアッセンブリの位置決め作業を寄り簡便に行なうことができる。
【図面の簡単な説明】
【図１】この発明に係るカラーブラウン管用電子銃のカソード挿入装置の概略の構造を示す図である。
【図２】この発明に係るカラーブラウン管用電子銃のカソード挿入装置によって組み立てられる電子銃の構造を説明する断面図である。
【図３】図２に示す電子銃の正面図である。
【図４】電子銃の位置決め手段の構造を説明する図で、センタカソードを組込む場合の状態を示す正面図である。
【図５】電子銃の位置決め手段の構造を説明する図で、サイドカソードを組込む場合の状態を示す正面図である。
【図６】電子銃の位置決め手段の構造を説明する図で、センタカソードを組込む場合の状態を示す断面図である。
【図７】電子銃の位置決め手段の構造を説明する図で、サイドカソードを組込む場合の状態を示す断面図である。
【図８】電極を所定の位置で保持する電極保持手段の構造を説明する一部を省略した図で、センタカソードを組込む場合の状態を示す正面図である。
【図９】電極を所定の位置で保持する電極保持手段の構造を説明する一部を省略した図で、電極を保持した状態を示す正面図である。
【図１０】電極を所定の位置で保持する電極保持手段の構造を説明する一部を省略した図で、電極を保持した状態を示す断面図である。
【図１１】電極を所定の位置で保持する電極保持手段の構造を説明する一部を省略した図で、電極を解除した状態を示す断面図である。
【図１２】カソードをカソード支持体に溶着させる機構の構造の概略を示す図である。
【図１３】カソードをカソード支持体に溶着される手順を説明する図で、セッティングゲージを挿入した状態を、一部を省略して示している。
【図１４】カソードをカソード支持体に溶着される手順を説明する図で、カソードを挿入した状態を、一部を省略して示している。
【図１５】従来の電子銃の構造を説明する断面図で、図２に相当する図である。
【図１６】従来の電子銃の構造を説明する正面図で、図３に相当する図である。
【図１７】従来のカソード挿入装置を説明する断面図で、図６に相当する図である。
【図１８】従来のカソード挿入装置を説明する断面図で、図７に相当する図である。
【符号の説明】
２０  電子銃
２１  カソード
２１ａ  センタカソード
２１ｂ  サイドカソード
２２  カソード支持体
２３  第１グリッド電極
２４  第２グリッド電極
２５  第３グリッド電極
２６  第Ｎグリッド電極
２７  絶縁支持体
２８ａ  センタ電子ビーム通過孔
２８ｂ  サイド電子ビーム通過孔
３０  カソード挿入装置
４０  電子銃位置決め部
４１  固定台ホルダ
４２  電子銃固定台
４３  サイドガイド第１芯棒
４４  センタガイド芯棒
４５  サイドガイド第２芯棒
４６  ピンホルダ部
４７  位置決めピン
４８ａ、４８ｂ  位置決め穴
４９  付勢バネ
６０  電極保持部
６１  保持部材
６１ａ  保持爪
６１ｂ  被案内部
６２  案内板
６３  被駆動軸
６３ｂ  押圧バネ
６４  駆動板
６５  カム孔
６６  カム面
６７  案内軸
６７ａ  案内孔
６８  軸ホルダ
６８ａ  センタ用位置決め穴
６８ｂ  サイド用位置決め穴
６８ｃ  ノズルホルダ部
６９  電極固定台
７０  ピンホルダ部
７１  位置決めピン
７２  付勢バネ
８０  エアノズル
８１  エアマイクロメータ
８２  ブラケット
８３  エアノズルガイド芯棒
９０  セッティングゲージ
９０ａ  ゲージ溝
９１  吸着電極
９２  溶着電極
【図１】
0003564658.tif 000002
【図２】
0003564658.tif 000003
【図３】
0003564658.tif 000004
【図４】
0003564658.tif 000005
【図５】
0003564658.tif 000006
【図６】
0003564658.tif 000007
【図７】
0003564658.tif 000008
【図８】
0003564658.tif 000009
【図９】
0003564658.tif 000010
【図１０】
0003564658.tif 000011
【図１１】
0003564658.tif 000012
【図１２】
0003564658.tif 000013
【図１３】
0003564658.tif 000014
【図１４】
0003564658.tif 000015
【図１５】
0003564658.tif 000016
【図１６】
0003564658.tif 000017
【図１７】
0003564658.tif 000018
【図１８】
0003564658.tif 000019